(57)【特許請求の範囲】
【請求項１】
雄コネクタと、
前記雄コネクタに突出して設けられ、断面略円形又は断面略楕円形の筒状をなすフード部と、
前記雄コネクタと嵌合可能な雌コネクタと、
前記雌コネクタに設けられ、前記雌雄両コネクタが嵌合状態となるに伴って前記フード部と嵌合する雌コネクタハウジングと、
前記嵌合状態となった前記フード部と前記雌コネクタハウジングとの間に挟まれるゴムリングとを備えた防水コネクタであって、
前記雌コネクタハウジングの周面に設けられ、第１の方向に突出する第１リブと、
前記雌コネクタハウジングの周面に設けられ、前記第１の方向とは反対方向となる第２の方向に突出する第２リブと、
前記フード部の周面を平面状に肉盛りして設けられ、前記第１リブの突出端を受ける平面と前記第２リブの突出端を受ける平面とが平行に配置されることで嵌合状態となった前記雌雄両コネクタ間のがたつきを規制する受け部とを備えており、
前記雌コネクタハウジングは、前記フード部の内部に嵌合可能な本体部を備え、前記第１及び第２リブは、前記本体部の外周面にそれぞれ配置され、前記受け部は、前記フード部の内周面に配置されているとともに、
前記雌コネクタハウジングは、前記フード部を内部に受け入れて嵌合可能な嵌合筒部を備え、かつ前記フード部は、その外周面に設けられ前記雌雄両コネクタの嵌合方向に延びるガイド片を備え、前記嵌合筒部は、その内周面に設けられ前記ガイド片を受け入れて前記雌雄両コネクタの嵌合を案内するガイド凹部を備え、前記第１及び第２リブは、前記ガイド凹部の内壁にそれぞれ配置され、前記受け部は、前記ガイド片の外面に配置されている防水コネクタ。
【請求項２】
前記本体部は、前記フード部との嵌合面側に冠着されその冠着状態で前記フード部の内部に嵌合可能な有底筒状のキャップを備え、前記第１及び第２リブは、前記キャップの外周面に設けられている請求項１に記載の防水コネクタ。
【請求項３】
前記受け部は、前記フード部の内部における奥方に配置され、前記雌雄両コネクタの嵌合完了時に前記第１及び第２リブの突出端を受けることで前記雌雄両コネクタ間のがたつきを規制する請求項１又は請求項２に記載の防水コネクタ。
【請求項４】
前記受け部は、前記フード部の周面のうち前記嵌合状態において前記第１及び第２リブと対応する位置にのみ設けられている請求項１ないし請求項３のいずれか一項に記載の防水コネクタ。
【発明の詳細な説明】
【技術分野】
【０００１】
本発明は、断面略円形又は断面略楕円形の筒状をなすフード部を備えた防水コネクタに関する。
【背景技術】
【０００２】
この種の防水コネクタとしては、例えば下記特許文献１に記載の防水コネクタが知られている。この防水コネクタは互いに嵌合可能な雌雄両コネクタを備え、雄コネクタには、特許文献１の図１に示すように、断面略楕円形の筒状をなすフード部が設けられている。フード部には、雌コネクタに設けられた雌コネクタハウジングが嵌合可能とされており、嵌合状態となったフード部と雌コネクタハウジングとの間には防水用のゴムリングが挟まれている。また、雌コネクタハウジングの周面にリブを突出して設けておき、このリブをフード部の周面に当接させることで嵌合状態となった雌雄両コネクタ間のがたつきを規制する構成が一般に知られている。
【特許文献１】特開２００３−１５１６８２公報（図１）
【発明の開示】
【発明が解決しようとする課題】
【０００３】
例えば、上記した防水コネクタでは雌コネクタハウジングとフード部との間にゴムリングを挟む隙間があるため、雌コネクタハウジングとフード部とが正規の嵌合方向に対して傾いた状態で嵌合される、いわゆるこじり嵌合がなされる場合があり得る。このようなこじり嵌合や車体からの振動等によってリブがフード部に対して位置ずれしてしまうと、リブがフード部の周面から離れてしまい、がたつきを規制することができなくなる。要するに、フード部が断面略円形や断面略楕円形の筒状に形成されている場合には、フード部の周面においてリブと当接可能な部分が一点しか存在しないため、こじり嵌合等によってリブが位置ずれしてしまうと、もはやリブをフード部の周面に当接させることができなくなる。
【０００４】
本発明は上記のような事情に基づいて完成されたものであって、防水コネクタにおいてリブがフード部に対して位置ずれしても雌雄両コネクタ間のがたつきを規制可能にすることを目的とする。
【課題を解決するための手段】
【０００５】
本発明は、雄コネクタと、前記雄コネクタに突出して設けられ、断面略円形又は断面略楕円形の筒状をなすフード部と、前記雄コネクタと嵌合可能な雌コネクタと、前記雌コネクタに設けられ、前記雌雄両コネクタが嵌合状態となるに伴って前記フード部と嵌合する雌コネクタハウジングと、前記嵌合状態となった前記フード部と前記雌コネクタハウジングとの間に挟まれるゴムリングとを備えた防水コネクタであって、前記雌コネクタハウジングの周面に設けられ、第１の方向に突出する第１リブと、前記雌コネクタハウジングの周面に設けられ、前記第１の方向とは反対方向となる第２の方向に突出する第２リブと、前記フード部の周面を平面状に肉盛りして設けられ、前記第１リブの突出端を受ける平面と前記第２リブの突出端を受ける平面とが平行に配置されることで嵌合状態となった前記雌雄両コネクタ間のがたつきを規制する受け部とを備えており、前記雌コネクタハウジングは、前記フード部の内部に嵌合可能な本体部を備え、前記第１及び第２リブは、前記本体部の外周面にそれぞれ配置され、前記受け部は、前記フード部の内周面に配置されているとともに、前記雌コネクタハウジングは、前記フード部を内部に受け入れて嵌合可能な嵌合筒部を備え、かつ前記フード部は、その外周面に設けられ前記雌雄両コネクタの嵌合方向に延びるガイド片を備え、前記嵌合筒部は、その内周面に設けられ前記ガイド片を受け入れて前記雌雄両コネクタの嵌合を案内するガイド凹部を備え、前記第１及び第２リブは、前記ガイド凹部の内壁にそれぞれ配置され、前記受け部は、前記ガイド片の外面に配置されている構成としたところに特徴を有する。
【０００６】
このような構成によると、雌雄両コネクタの嵌合に伴ってフード部と雌コネクタハウジングとが嵌合する。雌雄両コネクタが嵌合状態に至ると、第１の方向に突出する第１リブの突出端が受け部の平面に接触すると共に、第１の方向とは反対方向となる第２の方向に突出する第２リブの突出端が受け部の平面に接触することで、雌雄両コネクタが第１の方向及び第２の方向にがたつくことが規制される。さらに、第１リブの突出端を受ける平面と第２リブの突出端を受ける平面とが平行となるように配置したから、例えば雌雄両コネクタがこじられる等して第１及び第２リブがこれらを受ける平面の面方向に位置ずれしても、第１及び第２リブが平面に接触した状態に保たれ、雌雄両コネクタ間のがたつきが規制される。
【０００７】
また雌コネクタハウジングは、フード部の内部に嵌合可能な本体部を備え、第１及び第２リブは、本体部の外周面にそれぞれ配置され、受け部は、フード部の内周面に配置されている構成であるから、フード部と本体部との間におけるがたつきを規制することができる。
さらに雌コネクタハウジングは、フード部を内部に受け入れて嵌合可能な嵌合筒部を備え、フード部は、その外周面に設けられ雌雄両コネクタの嵌合方向に延びるガイド片を備え、嵌合筒部は、その内周面に設けられガイド片を受け入れて雌雄両コネクタの嵌合を案内するガイド凹部を備え、第１及び第２リブは、ガイド凹部の内壁にそれぞれ配置され、受け部は、ガイド片の外面に配置されている構成となっている。そのため、ガイド凹部がガイド片を受け入れることで雌雄両コネクタの嵌合を案内することができる。特にこのガイド片及びガイド凹部を利用して各リブ及び受け部を設けたから、ガイド機能部（ガイド凹部及びガイド片）とがたつき規制部（各リブ及び受け部）とを別々に設ける場合よりも全体の構成を簡素化することができる。
【０００８】
本発明の実施の態様として、以下の構成が好ましい。
本体部は、フード部との嵌合面側に冠着されその冠着状態でフード部の内部に嵌合可能な有底筒状のキャップを備え、第１及び第２リブは、キャップの外周面に設けられている構成としてもよい。このような構成によると、フード部との嵌合面側にキャップが冠着された状態で本体部をフード部の内部に嵌合したときにおいても、フード部と本体部との間におけるがたつきを規制することができる。
【０００９】
受け部は、フード部の内部における奥方に配置され、雌雄両コネクタの嵌合完了時に第１及び第２リブの突出端を受けることで雌雄両コネクタ間のがたつきを規制する構成としてもよい。雌雄両コネクタ間のがたつき規制が行われると、第１及び第２リブが受け部に接触して摩擦抵抗が大きくなることで、雌雄両コネクタの嵌合操作力が大きくなる。その点、上記構成によると、雌雄両コネクタの嵌合完了時に、がたつき規制が行われる。すなわち、雌雄両コネクタの嵌合途上においてはがたつき規制が行われないため、嵌合操作力が小さくて済む。
【００１０】
受け部は、フード部の周面のうち嵌合状態において第１及び第２リブと対応する位置にのみ設けられている構成としてもよい。このような構成によると、第１及び第２リブと対応する位置にのみ受け部を設けたから、フード部全体が厚肉になることがない。
【発明の効果】
【００１３】
本発明によれば、防水コネクタにおいてリブがフード部に対して位置ずれしても雌雄両コネクタ間のがたつきを規制することができる。
【発明を実施するための最良の形態】
【００１４】
＜実施形態＞
本発明の実施形態を図１ないし図８の図面を参照しながら説明する。
本実施形態の防水コネクタは、互いに嵌合可能な雄コネクタ１０と雌コネクタ３０とを備え、雌コネクタ３０に装着された操作レバー５０を回動操作することで雌雄両コネクタ１０，３０を嵌合可能である。尚、以下の説明において前後方向とは雌雄両コネクタ１０，３０の嵌合方向を基準として嵌合面側を前方とする。
【００１５】
雄コネクタ１０は、図１に示すように、合成樹脂製の雄コネクタハウジング１１を有し、この雄コネクタハウジング１１には、前方に開口するフード部１２が設けられている。フード部１２は断面略楕円形の筒状に形成されている。本発明において「楕円」とは、フード部１２の内周面及び外周面が共に曲面で構成された閉じた形状をいう。したがって、本実施形態のように横長の略方形であってもフード部１２の内周面及び外周面が曲面で構成されている場合には「楕円」に含まれるものとする。尚、フード部１２の詳細な構成については、後述する。
【００１６】
フード部１２の内部には、タブ状をなす雄端子金具２０が前方に突出して形成されている。雄端子金具２０は、上下２段に分かれて幅方向に等間隔で配置されている。また、上下に対応する各雄端子金具２０は、互いに幅方向にずれて配置され、全体として千鳥状となっている。雄端子金具２０は、フード部１２の奥壁に圧入もしくはインサート成形によって固定されている。また、フード部１２の幅方向両側には、幅方向に突出する一対のカムピン１３が形成されている。カムピン１３は円柱状をなし、後述するカム溝５３の側壁と係止してカム作用を発揮する。
【００１７】
雄コネクタハウジング１１には、後述する３つのガイド凹部３７，４２，４３に受け入れられることで雌コネクタ３０との嵌合動作を案内する３つのガイド片１４，１５，１６がそれぞれ前後方向に延びる形態で設けられている。第１ガイド片１４は、フード部１２の下部における両端部に一対配されている。両第１ガイド片１４は断面略方形をなし、それぞれ幅方向外側に張り出し形成されている。第２ガイド片１５は、フード部１２の上部において幅方向に所定の間隔を空けて一対配されている。両第２ガイド片１５は断面略方形をなし、それぞれ上方に突出して形成されている。第３ガイド片１６は断面略横長形状をなし、上段の雄端子金具群２０と下段の雄端子金具群２０との間に配されて、フード部１２の奥壁から前方に張り出し形成されている。
【００１８】
雌コネクタ３０は、図２に示すように、合成樹脂製の雌コネクタハウジング３１を有している。この雌コネクタハウジング３１には、横長略方形のブロック状をなす本体部３２と、本体部３２の外周を覆うようにして配された嵌合筒部３３とが設けられている。嵌合筒部３３は、図５に示すように、本体部３２の後端部から径方向外側に立ち上がり、そこから前方に延びる形態をなしている。また、嵌合筒部３３の内周面と本体部３２の外周面との間には、フード部１２が嵌合可能である。さらに、嵌合筒部３３の内周面には、図２に示すように、第１ガイド片１４を受け入れ可能な第１ガイド凹部４２と、第２ガイド片１５を受け入れ可能な第２ガイド凹部４３とがそれぞれ前後方向に沿って凹設されている。
【００１９】
本体部３２のうち前面から外周面にかけての範囲は、前方から着脱可能なキャップ３４によって構成されている。すなわち、キャップ３４は有底筒状をなし、本体部３２の前面を構成する前壁３４Ａと、その前壁３４Ａの周縁から後方に延びる周壁３４Ｂとから構成され、本体部３２に冠着された状態でフード部１２の内部に嵌合可能である。また、本体部３２の外周面における後端には、防水用のゴムリング８０が嵌着されている。ゴムリング８０は、本体部３２の外周面とフード部１２の内周面との間に圧縮状態で挟まれており、キャップ３４の周壁３４Ｂの後端によって抜止されている。
【００２０】
本体部３２の内部には、前後方向に貫通するキャビティ３５が形成されている。キャビティ３５の内部には、後方から挿入された雌端子金具４０を収容可能である。キャビティ３５は、雄端子金具２０の配置に対応して上下２段に形成されており、上下のキャビティ３５間には、第３ガイド片１６を収容可能な第３ガイド凹部３７が前方に開口して形成されている。
【００２１】
キャビティ３５内部に挿入された雌端子金具４０の前止まりを行う前止まり壁は、キャップ３４の前壁３４Ａによって構成されている。この前止まり壁には、雄端子金具２０をキャビティ３５内部に進入させる端子挿通孔３６が上下２段に形成されている。キャップ３４の前壁３４Ａにおいて上下の端子挿通孔３６間には、第３ガイド片１６を第３ガイド凹部３７内部に進入させるガイド挿通孔３８が形成されている。
【００２２】
キャビティ３５の内壁には、雌端子金具４０をキャビティ３５内部に抜止状態に保持するランス３９が撓み可能に形成されている。また、本体部３２の内部には、キャビティ３５内部と連通するリテーナ収容部４１が下方に開口して形成されている。リテーナ収容部４１にはリテーナ６０が収容可能とされており、キャビティ３５内部に収容された雌端子金具４０に係止してランス３９と共に二重で抜止状態に保持可能である。
【００２３】
雌端子金具４０は、雄端子金具２０と接続される端子接続部と、この端子接続部から後方に延びて電線Ｗと接続される電線接続部とから構成されている。端子接続部は前後方向に貫通する角筒状をなし、内部に挿入された雄端子金具２０に対して弾性的に接触する弾性接触片を備えている。尚、前記したリテーナ６０は、端子接続部の後端に係止する。
【００２４】
一方、電線接続部は、電線Ｗをかしめ付けるワイヤバレル部と、電線Ｗと共にゴム栓７０をかしめ付けるインシュレーションバレル部とから構成されている。ゴム栓７０は、キャビティ３５の後半部を構成するゴム栓収容部に収容されている。ゴム栓７０には、図示２個のリップ部が周設されている。このリップ部は、ゴム栓収容部の内周面と電線Ｗの外周面とに密着してキャビティ３５内部に水が浸入することを規制している。
【００２５】
雌コネクタハウジング１１には、待機位置と嵌合位置との間で回動可能な操作レバー５０が装着されている。操作レバー５０は、図２に示すように、略門形をなし、操作部５１と、操作部５１の両側に対向状態で配された一対のアーム部５２とから構成されている。アーム部５２には回動孔５７が設けられ、この回動孔５７に対して雌コネクタハウジング１１の両側面から突出する回動軸４９が嵌り込んだ状態となることで、操作レバー５０が回動可能に支持される。
【００２６】
アーム部５２の内面には、カム溝５３が凹設されている。また、嵌合筒部３３の幅方向両側には、嵌合筒部３３の内部と外部を連通する切り欠き４４が設けられている。この切り欠き４４は、待機位置にある操作レバー５０のカム溝５３の入口と整合する位置に配されている。また、切り欠き４４は、嵌合筒部３３の前縁から後方に向けて切り欠かれており、フード部１２が本体部３２と嵌合筒部３３との間に進入するに伴ってカムピン１３を後方へ移動可能としてある。また、アーム部５２の内面においてカム溝５３の入口付近には、操作レバー５０を待機位置にて保持するための回り止め突部５４が設けられている。回り止め突部５４は、操作レバー５０が待機位置にあるときに切り欠き４４内部に入り込み、切り欠き４４の内壁における上面に係止する。
【００２７】
一方、フード部１２の外周面においてカムピン１３の上方には、解除突部１７が設けられている。解除突部１７は、フード部１２を本体部３２と嵌合筒部３３との間に嵌合させることによりカムピン１３と共に切り欠き４４の内部に進入し、回り止め突部５４の内側に入り込んで回り止め突部５４を切り欠き４４の外部に押し出すように構成されている。回り止め突部５４が切り欠き４４の外部に押し出されると、アーム部５２が幅方向両側に開き変形し、回り止め突部５４と切り欠き４４の内壁上面との係止状態が解除されることにより、操作レバー５０の回動操作が許容される。
【００２８】
カムピン１３は、カム溝５３の入口における内壁下面に設けられた抜止突起５８によってカム溝５３の入口から外れてしまうことが規制されている。カムピン１３をカム溝５３の入口に進入させた後、待機位置にある操作レバー５０を嵌合位置に向けて回動させると、カムピン１３とカム溝５３の側壁とが係止し、カム作用によってカムピン１３がカム溝５３に沿って奥方へと移動する。これにより、雌雄両コネクタ１０，３０が嵌合し、正規嵌合に至るとフード部１２が本体部３２と嵌合筒部３３との間に嵌合する。これと並行して、雄端子金具２０は、キャップ３４の端子挿通孔３６を通じてキャビティ３５内部及び雌端子金具４０の端子接続部の内部に進入し、弾性接触片と弾性的に接触する。
【００２９】
雌コネクタハウジング３１の上部後端には、嵌合位置にある操作レバー５０を保持するための保持部４５が後方に張り出し形成されている。保持部４５の後端には、操作部５１に撓み可能に設けられた撓み係止片５５と係止する保持突部４６が設けられている。撓み係止片５５が保持突部４６と係止した状態では、嵌合位置にある操作レバー５０が待機位置へ回動することが規制される。撓み係止片５５の突出端には解除操作部５６が設けられている。この解除操作部５６を指で摘んで撓み係止片５５と保持突部４６との係止状態を解除することで、嵌合位置にある操作レバー５０を待機位置へ回動することが許容される。
【００３０】
さて、前述したようにフード部１２の詳細な構造について説明する。フード部１２の外周面は、図５に示すように、前後方向に形成されている。一方、フード部１２の内周面は奥壁側から開口縁側に向けて開いた形状をなしている。つまり、フード部１２は、奥壁側に位置して小さい内径を有する小径部１２Ａと、開口縁側に位置して大きい内径を有する大径部１２Ｃと、小径部１２Ａと大径部１２Ｃとの間に位置するつなぎ部１２Ｂとを備え、各部１２Ａ，１２Ｂ，１２Ｃが同軸で一体に構成されている。
【００３１】
フード部１２の大径部１２Ｃの内周面は、図６に示すように、雌雄両コネクタ１０，３０の嵌合状態においてゴムリング８０の外周面と密着し、これに伴ってゴムリング８０の内周面が本体部３２の外周面に密着する。一方、フード部１２の小径部１２Ａの内周面は、図７に示すように、キャップ３４の外周面とほぼ適合するように形成されている。キャップ３４の周壁３４Ｂには、図２に示すように、図示８個の内側リブ４７が前後方向に延びて設けられており、これらの内側リブ４７がフード部１２の小径部１２Ａの内周面に接触することで、雌雄両コネクタ１０，３０の嵌合完了時に、フード部１２と本体部３２との間のがたつきが規制されるようにしてある。
【００３２】
キャップ３４の周壁３４Ｂは断面略方形をなしており、８個の内側リブ４７は周壁３４Ｂにおける上下左右の４辺にそれぞれ２つずつ配置され、一対の上リブ（本発明の「第１リブ」の一例）４７Ａと一対の下リブ（本発明の「第２リブ」の一例）４７Ｂと一対の左リブ（本発明の「第１リブ」の一例）４７Ｃと一対の右リブ（本発明の「第２リブ」の一例）４７Ｄとから構成されている。両上リブ４７Ａは、周壁３４Ｂの上辺における両端側において上方に突出して設けられている。両下リブ４７Ｂは、周壁３４Ｂの下辺における両端側において下方に突出して設けられている。両上リブ４７Ａと両下リブ４７Ｂとはそれぞれ上下に対応する位置に設けられている。尚、上方は本発明の「第１の方向」の一例であり、下方は本発明の「第２の方向」の一例である。
【００３３】
両左リブ４７Ｃは、周壁３４Ｂの左辺において上下方向に所定の間隔を空けて配置され、それぞれ左方に突出して設けられている。両右リブ４７Ｄは、周壁３４Ｂの右辺において上下方向に所定の間隔を空けて配置され、それぞれ右方に突出して設けられている。両左リブ４７Ｃと両右リブ４７Ｄとはそれぞれ左右に対応する位置に設けられている。
【００３４】
一方、フード部１２の小径部１２Ａにおける内周面には、リブ４７の突出端を受ける受け部１８が設けられている。受け部１８は、小径部１２Ａにおける上下左右の４辺に配置され、小径部１２Ａの内周面を肉盛りすることにより平面状に形成されたストレート面（本発明の「第１及び第２リブの突出端を受ける平面」の一例）１８Ａを備えている。小径部１２Ａの内周面には、図示６個の受け部１８が形成されている。上リブ４７Ａの突出端と接触するストレート面１８Ａは、下リブ４７Ｂの突出端と接触するストレート面１８Ａに対して平行に設定されている。また、左リブ４７Ｃの突出端と接触するストレート面１８Ａは、右リブ４７Ｄの突出端と接触するストレート面１８Ａに対して平行に設定されている。
【００３５】
両上リブ４７Ａと両下リブ４７Ｂに対しては、それぞれ個別に受け部１８が設けられているものの、両左リブ４７Ｃと両右リブ４７Ｄに対しては、それぞれ共通の受け部１８が設けられている。この理由は、両左リブ４７Ｃと両右リブ４７Ｄは、周壁３４Ｂの短辺側において比較的近い位置に設けられており、共通の受け部１８を設けてもフード部１２がさほど厚肉にならないからである。ところが、両上リブ４７Ａと両下リブ４７Ｂは、周壁３４Ｂの長辺側における両端付近に設けられており、周壁３４Ｂの長辺側に共通の受け部１８を設け、左右に長いストレート面１８Ａを形成してしまうと、その分だけフード部１２が厚肉になってしまうからである。尚、受け部１８が設けられている位置を明確にするため、図１においては、２本の破線で挟まれた領域として表示してある。
【００３６】
両第１ガイド凹部４２の内壁下面及び両第２ガイド凹部４３の内壁上面には、それぞれ外側リブ４８が前後方向に延びて設けられており、図示４個の外側リブ４８がフード部１２の大径部１２Ｃの外周面に接触することで、嵌合状態におけるフード部１２と嵌合筒部３３間のがたつきが規制される。外側リブ４８は、図２に示すように、第２ガイド凹部４３に配置された図示２個の上リブ（本発明の「第１リブ」の一例）４８Ａと、第１ガイド凹部４２に配置された図示２個の下リブ（本発明の「第２リブ」の一例）４８Ｂとから構成されている。また、外側リブ４８は、図５に示すように、リテーナ収容部４１よりも奥方に設けられているため、雌雄両コネクタ１０，３０の嵌合完了時にがたつきを規制可能である。
【００３７】
外側リブ４８の上リブ４８Ａに対しては、第２ガイド片１５の上面が受け部１８のストレート面１８Ａとして機能する。また、外側リブ４８の下リブ４８Ｂに対しては、第１ガイド片１４の下面が受け部１８のストレート面１８Ａとして機能する。第２ガイド片１５の上面は平面状をなし、同じく平面状に形成された第１ガイド片１４の下面に対して平行となるように設定されている。このように、既存構造である各ガイド片１４，１５及び各ガイド凹部４２，４３を利用して上下リブ４８Ａ，４８Ｂ及び受け部１８を設けたから、大きな設計変更を伴うことなく嵌合状態にあるフード部１２と嵌合筒部３３間のがたつきを規制することができる。
【００３８】
本実施形態は以上の構成であって、続いてその作用を説明する。
まず、操作レバー５０を図３に示す待機位置にセットしておき、雌雄両コネクタ１０，３０を嵌合させる。すると、フード部１２は本体部３２と嵌合筒部３３との間に進入し、カムピン１３は切り欠き４４を通じてカム溝５３の入口に進入する。このとき、解除突部１７が回り止め突部５４の内側に入り込み、回り止め突部５４を切り欠き４４の外部に押し出すことにより、回り止め突部５４と切り欠き４４の内壁上面との係止状態が解除される。
【００３９】
次に、操作レバー５０を待機位置から嵌合位置へと回動させる。カムピン１３はカム作用によってカム溝５３の奥方へ移動し、カムピン１３が切り欠き４４の後方へ相対的に移動すると、雌雄両コネクタ１０，３０の嵌合が進行する。このとき、各ガイド片１４，１５，１６が各ガイド凹部３７，４２，４３に受け入れられることで雌雄両コネクタ１０，３０の嵌合動作が案内される。これと共に、フード部１２は本体部３２と嵌合筒部３３との間に進入し、ゴムリング８０がフード部１２の内周面と本体部３２の外周面との間で圧縮状態で挟まれる。
【００４０】
こうして、操作レバー５０が図４に示す嵌合位置に回動されると、雌雄両コネクタ１０，３０が嵌合状態に至り、図８に示すように、内側リブ４７と外側リブ４８がそれぞれ受け部１８のストレート面１８Ａに接触した状態に保持される。この状態では、フード部１２とキャップ３４（本体部３２）との間で上下左右にがたつくことが規制されると共に、フード部１２と嵌合筒部３３との間で上下にがたつくことが規制され、雌雄両コネクタ１０，３０間のがたつきが規制される。尚、操作レバー５０が嵌合位置に至ると、操作部５１の撓み係止片５５が保持部４５の保持突部４６に係止することで、操作レバー５０が嵌合位置に保持される。さらに、雄端子金具２０は雌端子金具４０の弾性接触片と弾性的に接触し、雌雄両端子金具２０，４０に連なる電線Ｗ同士が導通可能に接続される。
【００４１】
この後、雌雄両コネクタ１０，３０がこじられたり、あるいは車両に搭載された状態で車体から伝わる振動等によって各リブ４７，４８がストレート面１８Ａの面方向に沿って上下方向や左右方向に位置ずれすることがあり得る。しかしながら、上下リブ４７Ａ，４７Ｂの突出端にそれぞれ接触するストレート面１８Ａは平行であり、左右リブ４７Ｃ，４７Ｄの突出端にそれぞれ接触するストレート面１８Ａも平行であり、上下リブ４８Ａ，４８Ｂの突出端にそれぞれ接触するストレート面１８Ａも平行であるから、各リブ４７，４８の突出端とストレート面１８Ａとは接触した状態に保持される。したがって、引き続きフード部１２とキャップ３４（本体部３２）との間及びフード部１２と嵌合筒部３３との間でがたつくことが規制され、雌雄両コネクタ１０，３０間のがたつきが規制される。
【００４２】
尚、雌雄両コネクタ１０，３０を離脱させる際は、解除操作部５６を指で摘んで撓み係止片５５と保持突部４６との係止状態を解除して、操作レバー５０を嵌合位置から待機位置へと回動させることで、カムピン１３とカム溝５３のカム作用によってカムピン１３がカム溝５３の入口へ進み、雌雄両コネクタ１０，３０が互いに離間する方向に移動する。
【００４３】
以上のように本実施形態では、各リブ４７，４８の突出端と接触するストレート面１８Ａが互いに平行となるようにしたから、雌雄両コネクタ１０，３０間のがたつきを規制しつつも、各リブ４７，４８がこれと接触するストレート面１８Ａの面方向に沿って位置ずれすることが許容される。また、受け部１８をフード部１２の奥壁側に設けて、雌雄両コネクタ１０，３０の嵌合完了時にがたつきが規制されるようにしたから、嵌合途上における操作力が小さくて済む。さらに、フード部１２の長辺側における両端付近に受け部１８を設けたから、フード部１２の長辺側が厚肉に形成されることを回避することができる。これらに加えて、既存構造である各ガイド片１４，１５，１６及び各ガイド凹部３７，４２，４３を利用して外側リブ４８及び受け部１８を設けたから、大きな設計変更を伴うことなく、かつ、全体構成を複雑にすることなく、雌雄両コネクタ１０，３０間のがたつきを規制することができる。
【００４４】
＜他の実施形態＞
本発明は上記記述及び図面によって説明した実施形態に限定されるものではなく、例えば次のような実施形態も本発明の技術的範囲に含まれる。
（１）本実施形態では上下方向及び左右方向に突出するリブ４７，４８を設けているものの、本発明によると、斜め方向の突出するリブを設けてもよい。
（２）本実施形態では断面略楕円形の筒状をなすフード部１２を設けているものの、本発明によると、断面略円形の筒状をなすフード部を設けてもよい。
【００４５】
（３）本実施形態ではキャップ３４の周壁３４Ｂに内側リブ４７を設けているものの、本発明によると、キャップ３４がない構成の場合には、本体部３２の外周面に内側リブ４７を設けてもよい。
【００４６】
（４）本実施形態では受け部１８をフード部１２の奥壁側に設けているものの、本発明によると、受け部１８をフード部１２の開口縁側に設けてもよい。
【図面の簡単な説明】
【００４７】
【図１】雄コネクタの正面図
【図２】雌コネクタの正面図
【図３】雌雄両コネクタの嵌合前におけるカムピンとカム溝の状態を示した図
【図４】雌雄両コネクタの嵌合後におけるカムピンとカム溝の状態を示した図
【図５】雌雄両コネクタの嵌合前の状態における断面を側方から見た図
【図６】雌雄両コネクタの嵌合後の状態における断面を側方から見た図
【図７】雌雄両コネクタハウジングの嵌合後の状態における断面を正面から見た図
【図８】図７の一部を拡大して各リブとストレート面が接触している状態を示した図
【符号の説明】
【００４８】
１０…雄コネクタ
１２…フード部
１４…第１ガイド片
１５…第２ガイド片
１６…第３ガイド片
１８…受け部
１８Ａ…ストレート面（第１及び第２リブの突出端を受ける平面）
３０…雄端子金具
３１…雌コネクタハウジング
３２…本体部
３３…嵌合筒部
３４…キャップ
３４Ｂ…キャップの内壁（キャップの外周面）
３７…第３ガイド凹部
４２…第１ガイド凹部
４３…第２ガイド凹部
４７…内側リブ（第１リブ及び第２リブ）
４８…外側リブ（第１リブ及び第２リブ）
８０…ゴムリング
【図１】
0005012342.tif 000002
【図２】
0005012342.tif 000003
【図３】
0005012342.tif 000004
【図４】
0005012342.tif 000005
【図５】
0005012342.tif 000006
【図６】
0005012342.tif 000007
【図７】
0005012342.tif 000008
【図８】
0005012342.tif 000009